(57)【要約】【課題】被施術者における体内のリンパ液の流れを良くするのに効果的な施術方法であって、被施術者をリラックスさせながら、体内のリンパ液の流れを促進できる、美容施術方法を提供する。【解決手段】施術台300の上に被施術者100が横たわった姿勢で、施術者200が、左右の手201L,201Rを交互に被施術者の身体の皮膚表面に当てながら、同被施術者の身体の皮膚表面上を目的のリンパ節に向けて徐々に接近するように摺動させる。その際、先行する一方の手の摺動範囲に後行する他方の手の摺動範囲を部分的に重ねるようにして行なうか、被施術者の身体の皮膚表面に０．５〜８ｋｇｆ／ｃｍ２の加圧下で行なうか、被施術者の身体の皮膚表面への加圧に強弱をつけながら行なうことができる。【選択図】図４
2015043790.tif 000002
【特許請求の範囲】
【請求項１】
施術台の上に被施術者が横たわった姿勢で、施術者が、左右の手を交互に被施術者の身体の皮膚表面に当てながら、同被施術者の身体の皮膚表面上を目的のリンパ節に向けて徐々に接近するように摺動させることを特徴とする美容施術方法。
【請求項２】
施術者が左右の手を、先行する一方の手の摺動範囲に後行する他方の手の摺動範囲を部分的に重ねながら、交互に被施術者の身体の皮膚表面上を目的のリンパ節に向けて摺動させることを特徴とする、請求項１記載の美容施術方法。
【請求項３】
施術者が左右の手を、被施術者の身体の皮膚表面に０．５〜８ｋｇｆ／ｃｍ２の加圧下で、交互に被施術者の身体の皮膚表面上を目的のリンパ節に向けて摺動させることを特徴とする、請求項１又は請求項２記載の美容施術方法。
【請求項４】
被施術者の身体の皮膚表面への加圧に強弱をつけながら、交互に被施術者の身体の皮膚表面上を目的のリンパ節に向けて摺動させることを特徴とする、請求項１ないし請求項３のいずれか一項に記載の美容施術方法。
【請求項５】
施術者が左右の手を、被施術者の身体の皮膚表面へ摺動速度に強弱をつけながら、交互に被施術者の身体の皮膚表面上を目的のリンパ節に向けて摺動させることを特徴とする、請求項１ないし請求項４のいずれか一項に記載の美容施術方法。
【請求項６】
施術者が左右の手を、被施術者の身体の皮膚表面にマッサージオイルまたはジェルを塗布しながら、交互に被施術者の身体の皮膚表面上を目的のリンパ節に向けて摺動させることを特徴とする、請求項１ないし請求項５のいずれか一項に記載の美容施術方法。
【請求項７】
施術者が左右の手を、被施術者の脚部の内側で、皮膚近くにある内リンパ管の延在方向に添って、当該皮膚表面に当てながら、交互に被施術者の脚部の内側の皮膚表面上を鼠径リンパ節に向けて摺動させることを特徴とする、請求項１ないし請求項６のいずれか一項に記載の美容施術方法。
【請求項８】
施術者が左右の手を、被施術者の脚部の外側で、皮膚深くにある外リンパ管の延在方向に添って、当該皮膚表面に当てながら、交互に被施術者の脚部の外側の皮膚表面上を鼠径リンパ節に向けて比較的強い力で摺動させることを特徴とする、請求項１ないし請求項７のいずれか一項に記載の美容施術方法。
【請求項９】
施術台の上面位置を施術者の肱位置からの高さを３０〜５０ｃｍに設定することを特徴とする、請求項１ないし請求項８のいずれか一項に記載の美容施術方法。
【発明の詳細な説明】
【技術分野】
【０００１】
本発明は、体内のリンパ液の流れを良くして体内の老廃物の排出を促進し、同時にリラックス効果も得られる、美容施術方法に関するものである。
【背景技術】
【０００２】
人体の循環系には血管系とリンパ管系がある。血管系は血液を循環させる系統であり、リンパ管系はリンパ液を循環させる系統である。栄養素や酸素は血液によって人体の組織のすみずみに運ばれ、各組織の老廃物や二酸化炭素は血液によって回収され排出される。大部分の老廃物は血液によって回収されるが、一部の老廃物はリンパ管を流れるリンパ液によって回収される。血液は心臓の脈動によって循環するが、リンパ液は筋肉活動や呼吸、外部からの刺激によって循環する。リンパ液が流れるリンパ管は人体の皮膚および内蔵に分布し、複数のリンパ節（膝窩リンパ節、鼠径リンパ節、腋窩リンパ節など）を経由して鎖骨下静脈に合流する。リンパ液の流れが悪くなると、むくみ・こり・たるみ等の原因となったり、疲労回復が遅れる等の原因となったりする。
【０００３】
従来より、美容施術方法として、被施術者の顔面に、メラニン代謝促進作用を備えたマッサージクリームを塗布したのち、顔の筋肉に手先を動かしながら刺激を与える方法（特許文献１）や、被施術者の例えば片手の、手のひらと手の甲を、施術者の両手の手のひらで挟み、被施術者の手首の方から指先に向かってすべらせる動作を、心拍リズムにあわせて繰り返し行う方法（特許文献２）、マッサージ施術をした直後に、３９〜４２℃の浴湯で半身浴を行う方法（特許文献３）、施術者が布または布手袋を用いて身体摩擦用布体を加圧摺動してマッサージする方法（特許文献４）が提案されている。
【先行技術文献】
【特許文献】
【０００４】
【特許文献１】特開２００５−３１４３２９号公報
【特許文献２】特開２００２−６５７９８号公報
【特許文献３】特開２００７−１９７４４０号公報
【特許文献４】特開２００９−２８３８７号公報
【発明の概要】
【発明が解決しようとする課題】
【０００５】
しかしながら、特許文献１の方法は顔面の筋肉に対し刺激を与える方法であり、特許文献２の方法は心拍リズムにあわせてマッサージすることを主要素とする方法、特許文献３の方法は半身浴を必須とする方法であり、いずれもリンパ液の流れの改善することに主眼を置いたものではない。特許文献４の方法はリンパ液の流れを改善する方法であるが、被施術者の身体との間に摩擦用布体を介在させているため、施術者が被施術者の身体に加える加圧が施術者の手の平や指先に直接伝わらず、施術者や被施術者がその効果を実感しにくいという問題がある。したがって、特許文献４の方法は、被施術者にとって効果的な施術方法とは言えない。
【０００６】
本発明は上記課題に鑑みてなされたもので、被施術者における体内のリンパ液の流れを良くするのに効果的な施術方法であって、被施術者をリラックスさせながら、体内のリンパ液の流れを促進できる、美容施術方法を提供することを目的とする。
【課題を解決するための手段】
【０００７】
上記課題を解決するために、本発明に係る美容施術方法は、施術台の上に被施術者が横たわった姿勢で、施術者が、左右の手を交互に被施術者の身体の皮膚表面に当てながら、同被施術者の身体の皮膚表面上を目的のリンパ節に向けて徐々に接近するように摺動させることを主要な特徴とする。
【０００８】
本発明に係る美容施術方法は、施術者が左右の手を、先行する一方の手の摺動範囲に後行する他方の手の摺動範囲を部分的に重ねながら、交互に被施術者の身体の皮膚表面上を目的のリンパ節に向けて摺動させることを第２の特徴とする。
【０００９】
本発明に係る美容施術方法は、施術者が左右の手を、被施術者の身体の皮膚表面に０．５〜８ｋｇｆ／ｃｍ２の加圧下で、交互に被施術者の身体の皮膚表面上を目的のリンパ節に向けて摺動させることを第３の特徴とする。
【００１０】
本発明に係る美容施術方法は、施術者が左右の手を、被施術者の身体の皮膚表面への加圧に強弱をつけながら、交互に被施術者の身体の皮膚表面上を目的のリンパ節に向けて摺動させることを第４の特徴とする。
【００１１】
本発明に係る美容施術方法は、施術者が左右の手を、被施術者の身体の皮膚表面へ摺動速度に強弱をつけながら、交互に被施術者の身体の皮膚表面上を目的のリンパ節に向けて摺動させることを第５の特徴とする。
【００１２】
本発明に係る美容施術方法は、施術者が左右の手を、被施術者の身体の皮膚表面にマッサージオイルまたはジェルを塗布しながら、交互に被施術者の身体の皮膚表面上を目的のリンパ節に向けて摺動させることを第６の特徴とする。
【００１３】
本発明に係る美容施術方法は、施術者が左右の手を、被施術者の脚部の内側で、皮膚近くにある内リンパ管の延在方向に添って、当該皮膚表面に当てながら、交互に被施術者の脚部の内側の皮膚表面上を鼠径リンパ節に向けて比較的弱い力で摺動させることを第７の特徴とする。
【００１４】
本発明に係る美容施術方法は、施術者が左右の手を、被施術者の脚部の外側で、皮膚深くにある外リンパ管の延在方向に添って、当該皮膚表面に当てながら、交互に被施術者の脚部の外側の皮膚表面上を鼠径リンパ節に向けて比較的強い力で摺動させることを第８の特徴とする。
【００１５】
本発明に係る美容施術方法は、施術台の上面位置を施術者の施術姿勢の肱位置からの高さを３０〜５０ｃｍに設定することを第９の特徴とする。
【発明の効果】
【００１６】
以上説明したように、本発明に係る美容施術方法によれば、施術台の上に被施術者が横たわった姿勢で、施術者が、左右の手を交互に被施術者の身体の皮膚表面に当てながら、同被施術者の身体の皮膚表面上を目的のリンパ節に向けて徐々に接近するように摺動させるようにしたから、被施術者の体内のリンパ管を流れるリンパ液を確実に目的のリンパ節に向けて流すことができる。また、身体が緊張しているとリンパ液が流れにくくなるが、前述の左右の手を交互にリンパ節へ徐々に接近するように摺動させる動きによって、被施術者の身体の緊張をほぐし得てリラックス効果を同時に付与でき、リンパ液の流れをより一層確実かつ良好なものとする。これにより、体内の老廃物の排出を促進し、あわせて、むくみ・こり・たるみを改善し、疲労回復を速やかに実現できるという優れた効果を奏する。
【００１７】
また、本発明に係る手技によれば、施術者が左右の手を交互に被施術者の身体の皮膚表面に当てながら、波を打たせるように、被施術者の身体の皮膚表面上を滑らせるから、被施術者は施術効果を実感できるとともに、心地よい適度な刺激と前述のリラックス効果が得られ、十分な美容効果が得られるという優れた効果を奏する。
【図面の簡単な説明】
【００１８】
【図１】施術者が本発明に係る美容施術方法を施術台上で被施術者に対し施術している様子を示す説明図、
【図２】被施術者の身体における主要なリンパ節の位置と施術者の手の摺動方向を示す説明図で、（Ａ）は被施術者の表側、（Ｂ）は被施術者の背中側を示す図、
【図３】施術者が被施術者の脚の裏側を施術している様子を示す説明図、
【図４】施術者が被施術者の脚の表側を施術している様子を示す説明図、
【図５】施術者が被施術者の腹部や上半身を施術している様子を示す説明図である。
【発明を実施するための最良の形態】
【００１９】
本発明を実施するための一実施形態を、図面を参照しながら説明する。本発明に係る美容施術方法は、被施術者１００の身体の体内を流れるリンパ液の流れを改善するための手技を用いた方法である。
【００２０】
まず、身体における主要なリンパ節の位置について説明すると、図２（Ａ）（Ｂ）に示すように、被施術者１００の脚１０１の左右の膝の裏に膝窩リンパ節１１０、股関節近くの左右に鼠径リンパ節１１１、胴体１０２の左右の脇の裏に腋窩リンパ節１１２、腕１０３の左右の肘の裏に肘リンパ節１１３、首まわりの頚部リンパ節１１４が位置しており、身体の各部（皮膚、内臓）に分布するリンパ管を流れるリンパ液は、最寄りのリンパ節を経由して鎖骨下静脈等に合流するようになっている。
【００２１】
次に、リンパ液の流す方向について説明すると、図２（Ａ）（Ｂ）の矢印に示すように、（１）足首付近から脛およびふくらはぎを経由して膝窩リンパ節１１０に向けて、（２）膝および膝裏付近から太ももを経由してまたへそ付近から鼠径リンパ節１１１に向けて、（３）へそ付近からまた肩・胸・背中・上腕付近から腋窩リンパ節１１２に向けて、（４）手首付近から肘リンパ節１１３に向けて、（５）首まわりから頚部リンパ節１１４に向けて、それぞれ皮膚下のリンパ液を流すようにする。なお、（１）から（５）は例示であってリンパ液を流す方向はこれらに限らない。
【００２２】
最初に、図１に示すように、上下可動式の施術台３００の上に被施術者１００がうつ伏せ状態に横たわる。図１は施術台３００の上にうつ伏せ状態に横たわった被施術者１００に対し、施術者２００が被施術者１００の脚１０１の足首付近からふくらはぎを経由して目的の膝窩リンパ節１１０に向けてリンパ液を流す施術を行っている様子を示している。
【００２３】
図３を参照して当該部位に対する施術方法を説明すると、施術者２００は、うつ伏せ姿勢の被施術者１００の、脚１０１の皮膚表面に対し、左手２０１Ｌ→右手２０１Ｒ→左手２０１Ｌの順で交互に軽く当てて皮膚表面上を摺動させながら、左右の手２０１Ｌ、２０１Ｒを膝窩リンパ節１１０へ向けて矢印のように徐々に接近するように動作させる。このときの施術者２００の左右の手２０１Ｌ、２０１Ｒの動作は、先行する手（左手２０１Ｌ）の摺動範囲（長さＬ１）に後行する手（右手２０１Ｒ）の摺動範囲（長さＬ２）が部分的に重なるように、交互に膝窩リンパ節１１０へ向けて摺動させる。左右の摺動範囲の長さＬ１、Ｌ２はいずれも１０〜２５ｃｍであることが望ましい。
【００２４】
左右の手２０１Ｌ、２０１Ｒの摺動回数は、足首付近から膝窩リンパ節１１０に至るまで、交互に少なくとも１回、好ましくは２回以上とする。左右の摺動範囲（長さＬ１、Ｌ２）の重なり範囲（長さＬ３）は、先行する摺動範囲（長さＬ１）の少なくとも１／２とすること、具体的には左右の摺動範囲の長さＬ１、Ｌ２が１０〜２５ｃｍであるときは、重なり範囲の長さＬ３は５〜１５ｃｍであることが望ましい。さらに左右の手２０１Ｌ、２０１Ｒによる皮膚表面への加圧は低圧（０．５〜４ｋｇｆ／ｃｍ２程度）にすること、摺動速度は低速（１〜１０ｃｍ／秒）にすることが望ましい。
【００２５】
上記の条件下で熟練の施術者２００が左右の手２０１Ｌ、２０１Ｒを、うつ伏せ姿勢の被施術者１００の、足首付近の皮膚表面に軽く当てて、皮膚表面が波立つように交互に手を摺動させて徐々に膝窩リンパ節１１０へ向けて移動させることで、皮膚下のリンパ管内のリンパ液を効果的に膝窩リンパ節１１０へと押し流すことができ、当該部位に溜まる身体内の老廃物を効率よく排出できる。従来の手技のように一方の手を足首付近から一気に膝窩リンパ節１１０へと摺動させようとすると、皮膚下のリンパ液を押し流そうとして勢い摺動時の加圧を強めがちになり、被施術者１００の身体が緊張してリンパ液の流れを抑えがちになるが、左右の手を交互に皮膚表面を波立たせるように軽くタッチしながら低圧で滑動させるので、被施術者１００の皮膚に軽い刺激を与えて身体の緊張をほぐし、これによりリラックス効果を同時に与え、リンパ節側へ移動させた皮膚下のリンパ液を逆流させることなく、最後まで膝窩リンパ節１１０へと押し流すことができる。
【００２６】
左右の手の摺動動作の時間を部分的に重なるようにすることで、リンパ節側へ移動させた皮膚下のリンパ液の逆流を効果的に抑制し、皮膚下のリンパ液を確実に目的のリンパ節へと押し流すことができる。
【００２７】
図４は施術者２００が、うつ伏せと逆の仰向け姿勢に横たわった状態の被施術者１００の、脚１０１の膝付近から太ももの内側面寄り、あるいは太ももの外側面寄りを経由して鼠径リンパ節１１１に向けてリンパ液を流している様子を示している。同図に示すように、施術者２００は、被施術者１００の膝付近の皮膚表面に対し、右手２０１Ｒ→左手２０１Ｌ→右手２０１Ｒの順で交互に軽く当てて摺動させながら、両方の手２０１R、２０１Lを徐々に鼠径リンパ節１１１へ向けて矢印のように接近するように動作させる。
【００２８】
このときの施術者２００の左右の手２０１Ｌ、２０１Ｒの動作は、先行する手（右手２０１Ｒ）の摺動範囲（長さＬ１）に後行する手（左手２０１Ｌ）の摺動範囲（長さＬ２）が部分的に重なるように、交互に鼠径リンパ節１１１へ向けて摺動させる。左右の摺動範囲の長さＬ１、Ｌ２はいずれも１０〜２５ｃｍであることが望ましい。
【００２９】
摺動回数は、膝裏付近から鼠径リンパ節１１１に至るまで、交互に少なくとも１回、好ましくは２回以上とする。左右の摺動範囲（長さＬ１、Ｌ２）の重なり範囲（長さＬ３）は、先行する摺動範囲（長さＬ１）の少なくとも１／２とすることが望ましい。具体的には左右の摺動範囲の長さＬ１、Ｌ２が１０〜２５ｃｍであるときは、重なり範囲の長さＬ３は５〜１５ｃｍであることが望ましい。さらに左右の手２０１Ｌ、２０１Ｒによる皮膚表面への加圧は低圧（０．５〜４ｋｇｆ／ｃｍ２程度）にすること、摺動速度は低速（１〜１０ｃｍ／秒）にすることが望ましい。
【００３０】
上記の条件下で熟練の施術者１００が左右の手２０１Ｌ、２０１Ｒを被施術者１００の膝の皮膚表面に軽く当てて、皮膚表面が波立つように交互に手を摺動させて徐々に鼠径リンパ節１１１へ向けて移動させることで、皮膚下のリンパ管内のリンパ液を効果的に鼠径リンパ節１１１へと押し流すことができ、当該部位に溜まる身体内の老廃物を効率よく排出できる。左右の手を交互に皮膚表面を波立たせるように軽くタッチしながら低圧で滑動させるので、被施術者１００の皮膚に軽い刺激を与えてリラックス効果を同時に与え、リンパ節側へ移動させた皮膚下のリンパ液を逆流させることなく、最後まで鼠径リンパ節１１１へと押し流すことができる。
【００３１】
ここで、脚１０１の太ももの内側寄りには皮膚表面近くに内リンパ管が、脚１０１の太ももの外側寄りには皮膚表面の深く外リンパ管が鼠径リンパ節１１１へ向けて延びている。そこで、脚１０１の太ももの内側寄りでは内リンパ管の延在方向に沿って軽いタッチ（例えば０．５〜４ｋｇｆ／ｃｍ２程度）で、脚１０１の太ももの外側寄りでは内リンパ管の延在方向に沿って強めのタッチ（例えば４〜８ｋｇｆ／ｃｍ２程度））で、左右の手を交互に当てて摺動させながら、鼠径リンパ節１１１へと接近動作させることにより、脚１０１の太ももの緊張をほぐしながら内リンパ管、外リンパ管を流れる各リンパ液を効果的に、最後は太ももの内側からは図４に示すように手の平全体を使って、鼠径リンパ節１１１へと押し流すことができる。  
【００３２】
図５は施術者２００が、仰向け姿勢の被施術者１００の、腹部のへそ付近から鼠径リンパ節１１１に向けて、腹部のへそ付近からまた肩・胸・背中・上腕付近から腋窩リンパ節１１２に向けて、手首付近から肘リンパ節１１３に向けて、それぞれ皮膚下のリンパ液を流している様子を示している。同図に示すように、施術者２００は、被施術者１００のお腹の皮膚表面に対し、へそ付近から左手２０１Ｌ→右手２０１Ｒ→左手２０１Ｌの順で交互に軽く当てて摺動させながら、両方の手２０１Ｌ、２０１Ｒを徐々に鼠径リンパ節１１１へ向けて矢印のように接近するように動作させる。
【００３３】
このときの施術者２００の左右の手２０１Ｌ、２０１Ｒの動作は、先行する手（左手２０１Ｌ）の摺動範囲（長さＬ１）に後行する手（右手２０１Ｒ）の摺動範囲（長さＬ２）が部分的に重なるように、交互に鼠径リンパ節１１１へ向けて摺動させる。左右の摺動範囲の長さＬ１、Ｌ２はいずれも１０〜２５ｃｍであることが望ましい。
【００３４】
摺動回数は、へそ付近から鼠径リンパ節１１１に至るまで、交互に少なくとも１回、好ましくは２回以上とする。左右の摺動範囲（長さＬ１、Ｌ２）の重なり範囲（長さＬ３）は、先行する摺動範囲（長さＬ１）の少なくとも１／２とすることが望ましい。具体的には左右の摺動範囲の長さＬ１、Ｌ２が１０〜２５ｃｍであるときは、重なり範囲の長さＬ３は５〜１５ｃｍであることが望ましい。さらに左右の手２０１Ｌ、２０１Ｒによる皮膚表面への加圧は低圧（０．５〜４ｋｇｆ／ｃｍ２程度）にすること、摺動速度は低速（１〜１０ｃｍ／秒）にすることが望ましい。
【００３５】
同様に、施術者２００は、へその上付近から胸下を通り腋窩リンパ節１１２に向けて、鎖骨付近から腋窩リンパ節１１２に向けて、肱付近から上腕を通り腋窩リンパ節１１２に向けて、図示しないが背中から腋窩リンパ節１１２に向けて、左右の手２０１Ｌ、２０１Ｒを交互に軽く皮膚表面に当てて摺動させながら、両方の手２０１Ｌ、２０１Ｒを徐々に腋窩リンパ節１１２へ向けて矢印のように接近するように動作させる。
【００３６】
このときも上記同様に、施術者２００は、先行する手の摺動範囲（長さＬ１）に後行する手の摺動範囲（長さＬ２）が部分的に重なるように、交互に腋窩リンパ節１１２へ向けて摺動させる。左右の摺動範囲の長さＬ１、Ｌ２はいずれも１０〜２５ｃｍであることが望ましい。
【００３７】
摺動回数は、腋窩リンパ節１１２に至るまで、交互に少なくとも１回、好ましくは２回以上とする。左右の摺動範囲（長さＬ１、Ｌ２）の重なり範囲（長さＬ３）は、先行する摺動範囲（長さＬ１）の少なくとも１／２とすることが望ましい。具体的には左右の摺動範囲の長さＬ１、Ｌ２が１０〜２５ｃｍであるときは、重なり範囲の長さＬ３は５〜１５ｃｍであることが望ましい。さらに左右の手２０１Ｌ、２０１Ｒによる皮膚表面への加圧は低圧（０．５〜４ｋｇｆ／ｃｍ２程度）にすること、摺動速度は低速（１〜１０ｃｍ／秒）にすることが望ましい。
【００３８】
このようにして、施術者２００は、うつ伏せ姿勢または仰向け姿勢の被施術者１００に対し、左右の手を被施術者の皮膚表面に軽く当てて交互に摺動させながら、皮膚下のリンパ液を最寄りのリンパ節に向けて効果的に押し流すことができ、身体内の各部位に溜まる老廃物を効率的に排出することができる。
【００３９】
本実施形態の施術方法によると、施術台３００の上面位置を施術者２００の施術姿勢の肱位置からの高さを調整することが望ましい。より具体的には、施術者２００が脚を４５度開いた直立姿勢で、施術台３００の上面位置と施術者２００の肱位置までの高さ距離を１５ｃｍ〜３０ｃｍ、より好ましくは２０ｃｍ〜２５ｃｍに設定することが望ましい。設定方法としては、上下可動式の施術台３００の高さを調整することが考えられる。
【００４０】
本実施形態の施術方法によると、施術者２００の左右の手による皮膚表面への加圧に強弱をつけることができる。例えば、被施術者の筋肉が硬直しているとき、最初は被施術者の皮膚表面を最後まで左右の手で交互に強く（例えば４〜８ｋｇｆ／ｃｍ２程度）摺動させることにより、被施術者の筋肉をほぐして、被施術者をリラックスさせることができ、その後に被施術者の皮膚表面を最初から左右の手で交互に弱く（例えば０．５〜４ｋｇｆ／ｃｍ２程度）摺動させることにより、皮膚下のリンパ液を目的のリンパ節に向けて効果的に押し流すことができる。リンパ液は皮膚下の筋肉がほぐされたリラックス状態下で効果的に流されるようになる。
【００４１】
本実施形態の施術方法によると、施術者２００の左右の手による摺動速度に強弱をつけることができる。例えば、最初は途中まで被施術者の皮膚表面を左右の手で交互に素早く（例えば１０〜３０ｃｍ／秒程度）摺動させることにより、皮膚下のリンパ液を目的のリンパ節に向けて効果的に流すことができ、最後にゆっくりと（例えば１〜１０ｃｍ／秒程度）摺動させることにより、流したリンパ液を目的のリンパ節に集中させることができる。
【００４２】
本実施形態の施術方法によると、予めあるいは施術途中に被施術者１００の皮膚表面にマッサージオイルまたはジェルを塗布することができる。被施術者１００の皮膚表面にマッサージオイルまたはジェルを塗布することによって、施術者２００の左右の手の、被施術者１００の皮膚表面上のすべりがよくなり、皮膚下のリンパ液の流れがよくなる。施術者２００の左右の手のすべりが悪く、皮膚表面との間に摩擦があると、皮膚下に圧力がかかりすぎて、リンパ液の流れが悪くなる。  
【００４３】
本実施形態の施術方法によると、施術部位の順番は特に限定されない。例えば、うつ伏せ姿勢の被施術者１００に対し、脚の裏側および腰から背中にかけて施術した後に、仰向け姿勢の被施術者１００に対し、脚の表側および腹部から胸部、腕にかけて施術したり、あるいはその逆の手順でもよく、さらには頚部や頭部への施術と組合せてもよい。
【実施例】
【００４４】
本発明者らは、本発明に係る施術方法の効果を確認するため、施術台上の被施術者の施術前と施術後の施術部位の体温を、サーモグラフィーを用いて測定した。なお、試験時の室内温度２５．３℃、湿度６３％であった。施術者は、施術台上の被施術者に対し、マッサージオイルを用いて、本発明の施術方法により、左右の手で部分的に摺動範囲を重ねながら、左右の手を交互に近くのリンパ節に向けて徐々に接近するようにかつ皮膚が波立つように動作させた。
【００４５】
施術後に体温を測定した結果、施術前の施術者の胸、背中、背面足部（太股）、前面足部（太股）の各体温が３１、７℃、３３．７℃、３２．４℃、３３．６℃と低温であったのに対し、施術後の各体温が３７．６℃、３７．２℃、３６．０℃、３６．２℃とそれぞれ上昇した。温度差はそれぞれ５．９℃、３．５℃、３．６℃、２．６℃であった。施術前と施術後の平均値は３２．８５℃、３６．７５℃で、平均値の温度差は３．９℃であり、施術前と施術後で十分有意差が認められた。これらの試験結果から、本発明に係る施術方法を実施することで、皮膚下のリンパ液の流れがよくなり、体内の老廃物の排出を促進し得ることが確かめられた。また、基礎代謝がよくなり、低体温（冷え性）の改善にもよいことが分かった。
【００４６】
かくして、本発明を用いることにより、被施術者の体内のリンパ管を流れるリンパ液の流れを良くして、体内の老廃物の排出を促進し、あわせて、むくみ・こり・たるみを改善し、疲労回復を速やかに実現できる他、被施術者は施術効果を実感できるとともに、心地よい適度な刺激とリラックス効果が得られ、十分な美容効果が得られることが期待できる。
【産業上の利用可能性】
【００４７】
本発明は、美容施術方法として利用可能である。
【符号の説明】
【００４８】
１００  被施術者  
１０１  脚
１０２  胴体
１０３  腕
１１０  膝窩リンパ節
１１１  鼠径リンパ節
１１２  腋窩リンパ節
１１３  肱リンパ節
１１４  頚部リンパ節
２００  施術者
２０１Ｌ，２０１Ｒ  手
３００  施術台
Ｌ１，Ｌ２  左右の手による摺動範囲の長さ
Ｌ3  左右の手による摺動範囲の重なり範囲の長さ
【図１】
2015043790.tif 000003
【図２】
2015043790.tif 000004
【図３】
2015043790.tif 000005
【図４】
2015043790.tif 000006
【図５】
2015043790.tif 000007